(57)【特許請求の範囲】
【請求項１】
被めっき面を上向きにして基板を保持する保持手段と、
前記保持手段に保持された基板の被めっき面の内側周囲をシールするめっき液保持機構と、
前記めっき液保持機構でシールされた基板の被めっき面に無電解めっき処理液を供給して溜める無電解めっき処理液供給手段と、
前記保持手段内に設置されて基板全体を加熱する加熱手段と、
前記加熱手段の温度を制御する温度制御手段とを具備し、
前記加熱手段は複数のゾーンに分割されると共に、前記温度制御手段によって各ゾーン毎に温度制御され、
さらに前記加熱手段と前記基板の間の保持手段の内部に中空の均一温度形成部を設け、この均一温度形成部の内部に液体又は気体を充填し、さらに充填した液体又は気体の入れ替え用の配管とポンプを取り付けたことを特徴とする無電解めっき装置。
【請求項２】
前記無電解めっき処理液が供給された基板の上を覆う蓋部材を具備することを特徴とする請求項１記載の無電解めっき装置。
【請求項３】
前記均一温度形成部の内径は、基板の直径よりも小さいことを特徴とする請求項１又は２記載の無電解めっき装置。
【請求項４】
前記無電解めっき処理液供給手段は、基板の被めっき面の上部に設置され、且つ前記無電解めっき処理液を供給された基板の上を覆う形状に形成することで蓋部材を兼用していることを特徴とする請求項２記載の無電解めっき装置。
【請求項５】
前記無電解めっき装置には、基板の被めっき面に溜めた無電解めっき処理液を吸引回収する機構を設けたことを特徴とする請求項１又は２又は３又は４記載の無電解めっき装置。
【発明の詳細な説明】
【０００１】
【発明の属する技術分野】
本発明は、半導体基板の配線形成（シード層形成や、シード層の上にこれを補強する目的で形成される補助シード層形成も含む）や配線保護膜形成や拡散防止膜形成などに用いて好適な無電解めっき装置に関するものである。
【０００２】
【従来の技術】
従来、半導体基板上に配線回路を形成する材料としてアルミニウム又はアルミニウム合金が一般に用いられてきたが、集積度の向上に伴い、より伝導率の高い材料を配線材料に採用することが要求されている。このため配線材料として銅又はその合金を用い、これを半導体基板にめっき処理することで基板に形成された配線パターン用の溝に充填する方法が提案されている。
【０００３】
配線パターン用の溝に銅又はその合金を充填する方法としては、ＣＶＤ（化学的蒸着）やスパッタリング等各種の方法が知られているが、金属層の材質が銅又はその合金である場合、即ち、銅配線を形成する場合には、ＣＶＤではコストが高く、またスパッタリングでは高アスペクト（パターンの深さの幅に対する比が大きい）の場合に埋め込みが不可能である等の短所を有しており、めっきによる方法が最も有効だからである。
【０００４】
一方無電解めっき装置の中には、従来めっき工程やめっきに付帯する前処理工程や洗浄工程を行うユニットを複数設けて無電解めっき処理を行う無電解めっき装置の代わりに、これらの各処理工程を一つのユニットで行う無電解めっき装置が提案されている。図７はこの種の無電解めっき装置の概略構成を示す図である。同図に示すようにこの無電解めっき装置は、モータＭによって回転駆動される保持手段８１上に載置・固定された半導体基板Ｗの周囲にカバー８３を設置し、半導体基板Ｗを点線で示す位置でモータＭによって回転しながらめっき液をめっき槽８７からポンプＰによって半導体基板Ｗの上部中央に供給し、回転による遠心力でめっき液を半導体基板Ｗの上面全体に広げてめっきを行いながら、半導体基板Ｗから落ちためっき液をカバー８３のめっき液回収部８５からめっき槽８７に戻して循環させる。
【０００５】
一方めっき終了後の半導体基板Ｗは同図に実線で示す位置まで下降して回転し、図示しない洗浄水供給手段から洗浄水を供給することでその表面からめっき液を洗い流して洗浄液回収部８６に集めて排水する。
【０００６】
しかしながら上記従来の無電解めっき装置においても以下のような各種問題点があった。
▲１▼半導体基板の被めっき面に常時めっき液を滴下しているのでめっき液を大量に循環使用することとなってしまう。また大量のめっき液を循環使用すると、大型ポンプが必要になり、ポンプの発熱による液温上昇に対する液温維持装置が必要で装置コストが上昇するばかりか装置が大型化し、ひいてはこの装置を収納するクリーンルームコストが上昇してしまう。
【０００７】
▲２▼めっき液を常時循環使用するので無電解めっきの原理上、副生成物が系内に蓄積し、安定なめっきプロセスが維持できない。また安定なめっきプロセスを得るためには、めっき液の分析及び液調整装置が必要となり、装置コストの上昇及びクリーンルームコストの上昇を招く。
【０００８】
▲３▼めっき液を大量に循環使用するため各装置構成部材からパーティクルが発生し易く循環経路内に濾過装置Ｆを設置する必要が生じ、装置コスト上昇及びクリーンルームコスト上昇を招く。
【０００９】
▲４▼被めっき面上の一箇所のみに常時めっき液を供給しながらめっきを行うと、めっき液を滴下していた部分のめっき膜厚が他の部分のめっき膜厚に比べて薄くなることが実験で確かめられており、膜厚の面内均一性が悪化する。これはめっき液を滴下した部分のみが他の部分に比べてめっき液の流速や厚み等が異なることでその反応状態が異なることが原因と考えられる。
【００１０】
▲５▼無電解めっきを行わせるためには、被めっき面とめっき液との反応面の温度を所定の一定温度に維持しておく必要があるので、大量のめっき液をめっき反応に最適な温度まで常時昇温させておく手だてが必要となり、装置コストの上昇及びクリーンルームコストの上昇を招き、且つめっき液を常時昇温させておくのでめっき液の劣化を促進してしまう。
【００１１】
▲６▼常時半導体基板を回転させているので、半導体基板の周速による放熱で温度降下が顕著になり安定なめっきプロセスが得られない。
【００１２】
▲７▼めっき液を滴下ではなく噴霧によって被めっき面に供給しようとした場合は、めっき液の温度制御が不確実になり安定なめっきプロセスが得られない。
【００１３】
【発明が解決しようとする課題】
本発明は上述の点に鑑みてなされたものでありその目的は、めっき液の使用量を少なくでき、安定なめっきプロセスが維持でき、装置の小型化と低コスト化が図れ、膜厚の面内均一性が図れ、さらに昇温によるめっき液の劣化を防止できる無電解めっき装置を提供することにある。
【００１４】
【課題を解決するための手段】
上記問題点を解決するため請求項１に記載の発明は、被めっき面を上向きにして基板を保持する保持手段と、前記保持手段に保持された基板の被めっき面の内側周囲をシールするめっき液保持機構と、前記めっき液保持機構でシールされた基板の被めっき面に無電解めっき処理液を供給して溜める無電解めっき処理液供給手段と、前記保持手段内に設置されて基板全体を加熱する加熱手段と、前記加熱手段の温度を制御する温度制御手段とを具備し、前記加熱手段は複数のゾーンに分割されると共に、前記温度制御手段によって各ゾーン毎に温度制御され、さらに前記加熱手段と前記基板の間の保持手段の内部に中空の均一温度形成部を設け、この均一温度形成部の内部に液体又は気体を充填し、さらに充填した液体又は気体の入れ替え用の配管とポンプを取り付けたことを特徴とする。これによって少量の無電解めっき処理液で被めっき面の処理が行え、無電解めっき処理液供給用のポンプとして小型のものが使用でき、無電解めっき装置のコンパクト化が図れ、これを収納するクリーンルームコストの低減化も図れる。また使用する無電解めっき処理液が少量なので無電解めっき処理液の昇温・保温が容易で即座に行える。さらに加熱手段と基板の間に気体又は液体を満たす均一温度形成部を設けたので、加熱手段として例えば線状ヒータをリング状（渦巻状）に配置したもののように面の場所によって温度にバラツキが生じる加熱手段を用いたとしても、均一温度形成部において面全体を同一温度にすることができ、基板の各部の加熱温度を均一化できる。この無電解めっき装置は、無電解めっき処理液として、前処理液、触媒処理液、無電解めっき液などを取り替えて使用することができ、一連の無電解めっき工程を単一セルで実施できる。
【００１５】
保持手段に保持して加熱された基板の冷却速度は各部で異なる場合が多く、通常基板の外周から冷えていく。このような場合はこの発明のように、加熱手段を複数のゾーンに分割して各ゾーン毎に温度制御することが好ましい。例えば加熱手段を基板中央に対向するゾーンと外周部に対向するゾーンに分割し、外周部に対向するゾーンの温度を基板中央に対向するゾーンの温度よりも高めにすることで、基板全体の温度を均一化する。
【００１６】
請求項２に記載の発明は、前記無電解めっき処理液が供給された基板の上を覆う蓋部材を具備することを特徴とする。無電解めっき処理中の基板上に蓋部材を載せることで、無電解めっき処理液の蒸発、気流発生に伴う放熱を抑制でき、より効果的な基板のめっきが行なえる。蓋部材は無電解めっき処理液の液面と接触しても良いし、接触しなくても良い。
請求項３に記載の発明は、前記均一温度形成部の内径は、基板の直径よりも小さいことを特徴とする。
【００１７】
請求項４に記載の発明は、前記無電解めっき処理液供給手段が、基板の被めっき面の上部に設置され、且つ前記無電解めっき処理液を供給された基板の上を覆う形状に形成することで蓋部材を兼用していることを特徴とする。無電解めっき処理液供給手段に蓋部材を兼用させることにより、装置のコンパクト化・低コスト化が図れる。
【００１８】
請求項５に記載の発明は、前記無電解めっき装置に、基板の被めっき面に溜めた無電解めっき処理液を吸引回収する機構を設けたことを特徴とする。
【００１９】
【発明の実施の形態】
以下、本発明の実施形態を図面に基づいて詳細に説明する。この実施形態にかかる無電解めっき装置は、例えば半導体基板Ｗの表面に無電解銅めっきを施して、銅層からなるシード層や配線を形成するのに使用される。このめっき工程の一例を図１を参照して説明する。
【００２０】
半導体基板Ｗには、図１（ａ）に示すように、半導体素子が形成された基板１の導電層１ａの上にＳｉＯ2からなる絶縁膜２が堆積され、リソグラフィ・エッチング技術によりコンタクトホール３と配線用の溝４が形成され、その上にＴｉＮ等からなるバリア層５、更にその上に無電解銅めっきによってシード層７が形成される。なおシード層７はスパッタなどによって予め形成しておき、このシード層７の上にこれを補強するために補助シード層を無電解銅めっきによって形成する場合もある。そして図１（ｂ）に示すように半導体基板Ｗ表面に銅めっきを施すことで半導体基板Ｗのコンタクトホール３及び溝４内に銅を充填させると共に、絶縁膜２上に銅層６を堆積させる。その後化学的機械的研磨（ＣＭＰ）により絶縁膜２上の銅層６を除去して、図１（ｃ）に示すようにコンタクトホール３および配線用の溝４に充填した銅層６の表面と絶縁膜２の表面とを略同一平面にし、露出する金属表面の上に配線保護膜８を形成する。
【００２１】
図２は本発明の参考例を用いて構成される無電解めっき装置の概略構成図である。同図に示すようにこの無電解めっき装置は、被めっき部材である半導体基板Ｗをその上面に保持する保持手段１１と、保持手段１１に保持された半導体基板Ｗの被めっき面（上面）の周縁部に当接して該周縁部をシールする堰部材（めっき液保持機構）３１と、堰部材３１でその周縁部をシールされた半導体基板Ｗの被めっき面にめっき液（無電解めっき処理液）を供給するシャワーヘッド（無電解めっき処理液（分散）供給手段）４１と、保持手段１１の上部外周近傍に設置されて半導体基板Ｗの被めっき面に洗浄液を供給する洗浄液供給手段５１と、排出された洗浄液等（めっき廃液）を回収する回収容器６１と、半導体基板Ｗ上に保持しためっき液を吸引して回収するめっき液回収ノズル６５と、前記保持手段１１を回転駆動するモータ（回転駆動手段）Ｍとを具備して構成されている。以下各部材について説明する。
【００２２】
保持手段１１はモータＭによって回転駆動されると共に、図示しない昇降手段によって上下動できるように構成されている。そしてこの保持手段１１はその上面を半導体基板Ｗを載置して保持する基板載置部１３としている。この基板載置部１３には半導体基板Ｗが載置されて固定されるように構成されているが、基板載置部１３の半導体基板Ｗを載置する部分には円形で半導体ウエハＷの直径よりも少し小さい内径の凹状の均一温度形成部１７が設けられている。均一温度形成部１７の中央と周囲の所定位置にはそれぞれ温度センサ１４が埋め込まれている。これら温度センサ１４は対向する半導体基板Ｗの裏面温度を検知する例えば赤外線検知センサによって構成されている。一方保持手段１１内部の均一温度形成部１７の下側には、半導体基板Ｗの被めっき面を下面側から暖めて保温する裏面ヒータ（加熱手段）１５−１，１５−２が設置されている。裏面ヒータ１５−１，２は図３に示すように中央に設置される円板形状の裏面ヒータ１５−１と、その周囲を囲むように設置されるリング状の裏面ヒータ１５−２によって構成されている。これら裏面ヒータ１５−１，２は例えばラバーヒータによって構成されており、図３に示す温度制御手段２０によってそれぞれ所定の温度となるように制御されている。温度制御手段２０には前記各温度センサ１４からの温度検知信号が入力される。
【００２３】
堰部材３１は筒状であってその下部に半導体基板Ｗの外周縁をシールするシール部３３を設け、図示の位置から上下動しないように設置されている。
【００２４】
シャワーヘッド４１は、先端に多数のノズルを設けることで、供給されためっき液をシャワー状に分散して半導体基板Ｗの被めっき面に略均一に供給する構造のものである。供給されるめっき液は、めっきに好適な温度（例えば５０℃）に加熱されていることが好ましい。このためめっき液供給源からシャワーヘッド（めっき液供給手段）４１までの配管は、保温性の高い部材を用いることが好ましい。例えば配管を二重管構造にして中央の通路にめっき液を通し、外側の通路に保温部材（例えば所定温度（例えば５０℃）に昇温した空気等の気体や水，温水等の液体等）を充填するなどである。昇温した気体や液体を充填した場合は、めっき液供給源でのめっき液温度が低くても配管中で加熱され、シャワーヘッド４１に到ったときはめっきに好適な温度まで上昇させることができる。一方洗浄液供給手段５１は、ノズル５３から洗浄液を噴出する構造である。
【００２５】
めっき液回収ノズル６５は上下動且つ旋回できるように構成されていて、その先端が半導体基板Ｗ上面周縁部の堰部材３１の内側に下降して半導体基板Ｗ上のめっき液を吸引するように構成されている。
【００２６】
次にこの無電解めっき装置の動作を説明する。まず図示の状態よりも保持手段１１を下降して堰部材３１との間に所定寸法の隙間を設け、基板載置部１３上に半導体基板Ｗを載置・固定する。このとき均一温度形成部１７は塞がれる。半導体基板Ｗとしては例えばφ８インチウエハを用いる。
【００２７】
次に保持手段１１を上昇して図示のようにその上面を堰部材３１の下面に当接し、同時に半導体基板Ｗの外周を堰部材３１のシール部３３によってシールする。このとき半導体基板Ｗの表面は開放された状態となっている。
【００２８】
次に裏面ヒータ１５（１５−１，２）によって半導体基板Ｗを空気層からなる均一温度形成部１７を介して加熱して例えば半導体基板Ｗの温度を７０℃にし（めっき終了まで維持する）、次にシャワーヘッド４１から例えば５０℃に加熱されためっき液を噴出して半導体基板Ｗの表面の略全体にめっき液を降り注ぐ。各裏面ヒータ１５−１，１５−２の加熱温度は、各温度センサ１４が検出した半導体ウエハＷの各部の温度に応じて図３に示す温度制御手段２０が制御する。例えば半導体基板Ｗは通常中央部分よりも外周端の方が冷え易いが、そのような場合は裏面ヒータ１５−２の加熱温度を裏面ヒータ１５−１の加熱温度よりも少し高くなるようにし、これによって半導体基板Ｗの保温温度を各部均一に保つ。
【００２９】
次に半導体基板Ｗ表面は堰部材３１によって囲まれているので、注入しためっき液は全て半導体基板Ｗ表面に保持される。供給するめっき液の量は半導体基板Ｗ表面に１ｍｍ厚（約３０ｍｌ）となる程度の少量で良い。なお被めっき面上に保持するめっき液の深さは１０ｍｍ以下であれば良く、この参考例のように１ｍｍでも良い。本参考例のように供給するめっき液が少量で済めばこれを加熱する加熱装置も小型のもので良くなる。そしてこの参考例においては、半導体基板Ｗの温度を７０℃に、めっき液の温度を５０℃に加熱しているので、半導体基板Ｗの被めっき面は例えば６０℃になり、この参考例におけるめっき反応に最適な温度にできる。このように半導体基板Ｗ自体を加熱手段によって加熱するように構成すれば、加熱するのに大きな消費電力の必要なめっき液の温度をそれほど高く昇温しなくても良いので、消費電力の低減化やめっき液の組成変化の防止が図れ、好適である。なお半導体基板Ｗ自体の加熱のための消費電力は小さくて良く、また半導体基板Ｗ上に溜めるめっき液の量は少ないので、裏面ヒータ１５による半導体基板Ｗの保温は容易に行え、裏面ヒータ１５の容量は小さくて良く装置のコンパクト化が図れる。また半導体基板Ｗ自体を直接冷却する手段をも用いれば、めっき中に加熱・冷却を切替えてめっき条件を変化させることも可能である。半導体基板上に保持されているめっき液は少量なので、感度良く温度制御が行える。
【００３０】
一方本参考例においては、裏面ヒータ１５と半導体基板Ｗの間に気体を満たす隙間（空間）からなる均一温度形成部１７を設けているが、均一温度形成部１７の熱容量は大きいので、たとえ裏面ヒータ１５の表面温度にバラツキがある場合でも、均一温度形成部１７の各部の温度は均一温度になり、半導体ウエハＷの裏面を精度良く均一温度に加熱できる。なおこの参考例においては気体として空気を用いたが、不活性ガス等の他の各種気体であっても良い。
【００３１】
そしてモータＭによって半導体基板Ｗを瞬時回転させて被めっき面の均一な液濡れを行い、その後半導体基板Ｗを静止した状態で被めっき面のめっきを行う。具体的には、半導体基板Ｗを１ｓｅｃだけ１００ｒｐｍ以下で回転して半導体基板Ｗの被めっき面上をめっき液で均一に濡らし、その後静止させて１ｍｉｎ間無電解めっきを行わせる。なお瞬時回転時間は長くても１０ｓｅｃ以下とする。
【００３２】
上記めっき処理が完了した後、めっき液回収ノズル６５の先端を半導体基板Ｗの表面周縁部の堰部材３１内側近傍に下降し、めっき液を吸い込む。このとき半導体ウエハＷを例えば１００ｒｐｍ以下の回転速度で回転させれば、半導体基板Ｗ上に残っためっき液を遠心力で半導体基板Ｗの周縁部の堰部材３１の部分に集めることができ、効率良く、且つ高い回収率でめっき液の回収ができる。そして保持手段１１を下降して半導体基板Ｗを堰部材３１から離し、半導体基板Ｗの回転を開始して洗浄液供給手段５１のノズル５３から洗浄液（超純水）を半導体基板Ｗの被めっき面に噴射して被めっき面を冷却すると同時に希釈化・洗浄することで無電解めっき反応を停止させる。このときノズル５３から噴射される洗浄液を堰部材３１にも当てることで堰部材３１の洗浄を同時に行っても良い。このときのめっき廃液は、回収容器６１に回収され、廃棄される。
【００３３】
なお一度使用しためっき液は再利用せず、使い捨てとする。前述のようにこの装置において使用されるめっき液の量は従来に比べて非常に少なくできるので、再利用しなくても廃棄するめっき液の量は少ない。なお場合によってはめっき液回収ノズル６５を設置しないで、使用後のめっき液も洗浄液と共にめっき廃液として回収容器６１に回収しても良い。
【００３４】
そしてモータＭによって半導体基板Ｗを高速回転してスピン乾燥した後、保持手段１１から取り出す。
【００３５】
図４は本発明の他の参考例を用いて構成される無電解めっき装置の概略構成図である。なお説明の都合上、図２に示した洗浄液供給手段５１とめっき液回収ノズル６５の記載は省略している。この参考例において図２に示す参考例と相違する点は、半導体基板Ｗの上を覆う蓋部材２５を設置した点のみである。この蓋部材２５は堰部材３１の上面を塞ぐ位置と、塞がない位置とで移動自在に構成されており、通常は堰部材３１の上面を塞がない位置にあり、シャワーヘッド４１によって半導体ウエハＷ上にめっき液が供給された後に堰部材３１の上面を塞ぐ図示の位置に移動する。
【００３６】
めっき液が供給された半導体ウエハＷ上を蓋部材２５で覆うことで、めっき液の蒸発、気流発生に伴う放熱を抑制でき、無電解めっき時の温度管理をより容易且つ精度良く行うことができる。なおこの参考例では半導体ウエハＷ上のめっき液と蓋部材２５との間に空間を設けているが、両者は接触しても良い（通常はめっき液の温度変化を防止するために両者は接触させない方が良い）。
【００３７】
図５は本発明のさらに他の参考例を用いて構成される無電解めっき装置の概略構成図である。この図においても図２に示す洗浄液供給手段５１とめっき液回収ノズル６５の記載は省略している。この参考例において図４に示す参考例と相違する点は、蓋部材２５を独立した部材として設けず、シャワーヘッド４１に蓋部材２５を兼用させた点である。すなわち半導体基板Ｗの被めっき面の上部に位置するシャワーヘッド４１を上下動自在に構成し、且つシャワーヘッド４１の外周に板状の張り出し部２６を設けることでシャワーヘッド４１自体を半導体基板Ｗの上を覆う蓋部材２５とした。このように構成すれば、別途蓋部材２５を設置しなくても良いので、装置のコンパクト化、低コスト化が図れる。
【００３８】
図６は本発明の実施形態を用いて構成される無電解めっき装置の概略構成図である。この図に示す実施形態において前記図２に示す参考例と相違する点は、凹状の均一温度形成部１７を設ける代りに、保持手段１１の内部に中空の均一温度形成部１７を設け、その内部に液体（例えば水）を充填した点である。このように構成しても、裏面ヒータ１５と半導体基板Ｗの間に熱容量の大きい液体を満たす隙間（空間）からなる均一温度形成部１７が形成されるので、たとえ裏面ヒータ１５の表面温度にバラツキがある場合でも、均一温度形成部１７において各部の温度を均一温度にでき、半導体ウエハＷの裏面を精度良く均一温度に加熱できる。なおこの実施形態においては均一温度形成部１７内に水等の液体を充填したが、空気等の気体を充填しても良い。またこの中空の均一温度形成部１７内の液体を外部に引き出す配管とポンプを取り付けることによって、液体の入れ替えなどを行うようにしても良い。その場合供給する液体温度は所定の温度に昇温させておくことが好ましい。
【００３９】
以上本発明の実施形態を説明したが、本発明は上記実施形態に限定されるものではなく、特許請求の範囲、及び明細書と図面に記載された技術的思想の範囲内において種々の変形が可能である。例えば本発明にかかる無電解めっき装置は、シード層や配線用の銅層形成に限られず、配線保護膜形成や拡散防止膜形成などにも用いることができる。
【００４０】
さらに本発明にかかる無電解めっき装置は、無電解めっきの前処理工程や触媒処理工程にも用いることができる。即ち例えば上記実施形態ではシャワーヘッド４１から無電解めっき液を半導体基板Ｗの被めっき面に供給して無電解めっきを行わせたが、無電解めっき液の供給工程の前にシャワーヘッド４１から無電解めっきの前処理工程や触媒処理工程に用いる他の無電解めっき処理液を供給することで、これらの処理工程も無電解めっき工程と共にこの無電解めっき装置で行うことができる。
【００４１】
上記実施形態では被めっき面上にめっき液を保持して静止させた状態でメッキしたが、めっきムラが生じない程度にゆっくりと回転させても良い。
【００４２】
また被めっき面にめっき液を分散して供給可能であればシャワーヘッドに限ることはなく、例えば揺動動作又は並進動作を行いながらめっき液を供給するノズルを設けても良い。
【００４３】
上記実施形態ではめっき後の洗浄工程において保持手段１１を堰部材３１から引き離した状態で洗浄液を供給して洗浄を行ったが、保持手段１１を堰部材３１から引き離さない状態のまま洗浄液を供給し、洗浄液を堰部材３１の上部の淵からオーバーフローさせることでその洗浄を行っても良い。洗浄液の供給によって内部に残っためっき液が希釈化されると同時に液温が低下し、これによって無電解めっきの反応は停止する。なお保持手段１１を下降させる代わりに堰部材３１を引き上げることで両者を引き離しても良い。
【００４４】
上記裏面ヒータ１５によって半導体基板Ｗを加熱する際（特に加熱開始からめっき液を接液するまでの間）、半導体基板Ｗの被めっき面に酸化防止を目的に不活性ガス、例えばアルゴン（Ａｒ）ガスを吹き付けることが好ましい。半導体基板Ｗ表面に例えばスパッタ等によるシード層が露出している場合は、これが加熱されるとその表面が酸化する恐れがあるので、これを防止してより膜厚の均質なめっき層を前記シード層上に形成しようとするような場合に用いれば特に効果的である。
【００４５】
上記実施形態では半導体基板Ｗの加熱手段として裏面ヒータ１５を用いたが、基板近傍の他の位置にヒータを設置してもよい。またヒータを用いると共に、無電解めっきを行なう雰囲気の温度を無電解めっき処理温度（反応面である被めっき面のめっきに好適な温度）とほぼ同等にすることで、放熱を防止して処理温度を一定に保つことができる。この場合は基板の周囲に加熱した気体を供給するなどすればよい。
【００４６】
上記実施形態では基板の被めっき面上に供給した無電解めっき処理液を接液させる工程として、基板を瞬時回転する工程を用いたが、その他にも、要は基板を動かすことや、供給した無電解めっき処理液を動かすことによって無電解めっき処理液を被めっき面全体に接液させる工程であればよい。即ち基板を動かす工程としては、例えば無電解めっき処理液が供給された基板を振動させることや、揺動させる（揺り動かす）こと等であり、供給した無電解めっき処理液を動かす工程としては、供給した無電解めっき処理液を掻き均し部材を用いて掻き均すことや、液面に送風すること等である。
【００４７】
上記実施形態では半導体基板に無電解めっきする例を示したが、半導体基板以外の各種基板に無電解めっきする場合にも適用できることは言うまでもない。
【００４８】
【発明の効果】
以上詳細に説明したように本発明によれば以下のような優れた効果を有する。
▲１▼被めっき面上に無電解めっき処理液を所定時間溜めて保持することで被めっき面を処理するように構成したので、少量の無電解めっき処理液で被めっき面の処理が行え、コスト低減が図れ、また無電解めっき処理液供給用のポンプとして小型のものが使用でき、無電解めっき装置のコンパクト化が図れ、これを収納するクリーンルームコストの低減化も図れる。また使用する無電解めっき処理液が少量なので無電解めっき処理液の昇温・保温が容易で即座に行え、且つ大量の無電解めっき処理液を常時昇温させておく必要がないので無電解めっき処理液の劣化が促進されることもない。
【００４９】
▲２▼使用する無電解めっき処理液の量が少なくて良いので、そのまま廃棄してもコスト増加にはならず、常に新規な無電解めっき処理液を使用できて処理液組成を一定にでき、循環使用する場合に生じる副生成物などが系内に堆積せず安定なめっき等の処理が容易に行え、めっき液の液分析装置や液調整装置が不要になり、装置コストの低減化及びクリーンルームコストの低減化が図れる。また無電解めっき処理液を大量に循環使用しないので、各装置構成部材からパーティクルが発生しにくく、濾過装置が不要になる。
【００５０】
▲３▼無電解めっき処理液を被めっき面上に保持して処理を行うので、無電解めっき処理液を被めっき面上に滴下しながら処理を行う場合に比べて被めっき面の各部の処理条件を同一にでき、形成されるめっき膜厚の面内均一化が図れる。特に基板を静止させた状態で処理を行えば、基板を回転しながら処理を行う場合に比べて基板の周速による放熱が生じず、温度降下せずに反応温度の均一化が図れ、安定なプロセスが得られる。
【００５１】
(4)加熱手段と基板の間に均一温度形成部を設けたので、加熱手段としてその表面の温度にバラツキのある加熱手段を用いたとしても、均一温度形成部においてその全体を同一温度にすることができ、基板の各部の加熱温度を均一化できる。
【００５２】
▲５▼加熱手段を複数のゾーンに分割し、各ゾーン毎に温度制御するように構成したので、基板全体の温度の均一化を図ることができる。
【００５３】
▲６▼無電解めっき処理液を供給した基板の上を蓋部材で覆うように構成したので、無電解めっき処理液の蒸発、気流発生に伴う放熱を抑制でき、より効果的な基板のめっきが行なえる。特に無電解めっき処理液供給手段自体に蓋部材を兼用させれば、装置のコンパクト化・低コスト化が図れる。
【００５４】
▲７▼無電解めっき処理液として、前処理液、触媒処理液、無電解めっき液などを取り替えて使用することができ、従って一連の無電解めっき工程を単一セルで実施可能となり、装置のコンパクト化が図れる。
【図面の簡単な説明】
【図１】めっき工程の一例を示す図である。
【図２】  本発明の参考例を用いて構成される無電解めっき装置の概略構成図である。
【図３】裏面ヒータ１５−１，１５−２の平面図である。
【図４】  本発明の他の参考例を用いて構成される無電解めっき装置の概略構成図である。
【図５】  本発明の他の参考例を用いて構成される無電解めっき装置の概略構成図である。
【図６】  本発明の実施形態を用いて構成される無電解めっき装置の概略構成図である。
【図７】従来の無電解めっき装置の概略構成図である。
【符号の説明】
Ｗ  半導体基板（基板）
１１  保持手段（基板保持手段）
１３  基板載置部
１５  裏面ヒータ（加熱手段）
１７  均一温度形成部（隙間）
２０  温度制御手段
２５  蓋部材
３１  堰部材（めっき液保持機構）
３３  シール部
４１  シャワーヘッド（無電解めっき処理液供給手段）
５１  洗浄液供給手段
５３  ノズル
６１  回収容器
６５  めっき液回収ノズル
Ｍ  モータ
【図１】
0003883802.tif 000002
【図２】
0003883802.tif 000003
【図３】
0003883802.tif 000004
【図４】
0003883802.tif 000005
【図５】
0003883802.tif 000006
【図６】
0003883802.tif 000007
【図７】
0003883802.tif 000008